(57)【要約】【課題】日陰を作るための蔓植物栽培のネット張りは、フェンスや壁、軒を利用するか棚を作らなければならず、栽培できる場所も限られてしまうし、作業が大変であった。また、移動できないために生活の邪魔になることもあった。【解決手段】蔓植物栽培用のネットを引き出したり収納したりできるネットロールバーと、伸縮可能で高さが調節できる支柱を組み合わせたネットハンガー部をキャスターの付いた移動可能な台車に取り付けることで、自立したものにして、ネット張り作業を楽にすると共に、栽培中でも移動ができるようにし、更に、台車に水受け皿を組み込むことで室内でも栽培ができるようにした。このようにして温暖化防止のための蔓植物栽培による日陰作りが手軽にできる様にしたものです。【選択図】図１
0003123899.tif 000002
【実用新案登録請求の範囲】
【請求項１】
蔓植物栽培用のネットを巻きつけるための、回転できる細長い筒状のネットロールバーを伸縮可能な２本の支柱の上部に保持した、ネットを張るためのネットハンガー部を、水受け皿の付いた、鉢およびプランターを置くためのキャスター付き台車に取り付けた、自立した蔓植物栽培台。
【考案の詳細な説明】
【技術分野】
【０００１】  温暖化防止のため、室外又は室内での蔓植物の栽培により、日陰を作り室内温度の上昇を抑制するためのもので、蔓植物栽培用のネットを張ったり収納したりを簡単にできるようにすると共に、栽培中でも移動ができるようにして蔓植物の栽培を容易にするものである。
【技術背景】
【０００２】  蔓植物を栽培するためには、蔓植物栽培に必要なネットをフェンスや壁、軒などの固定物を利用して張るか、ネットを固定するための棚を作らなければならなかった。
【考案の開示】
【考案が解決しようとする課題】
【０００３】  蔓植物栽培に必要なネットをフェンスや壁、軒などの固定物を利用して張ったり、棚を作る作業は難しく、手間もかかる。また、思うような場所に設置できない場合も多く、特に室内での栽培は困難である。使用後のネットの片付けも大変だし、ネットや棚の保管場所も必要になる。【０００４】  棚や固定物を利用して張られたネットでは、移動ができないため、狭いベランダなどでは洗濯物や布団を干したり、人の移動などの日常生活を不便にしてしまうこともあるし、太陽光の移動にあわせて効果的に日陰を作ることはできない。【０００５】  蔓植物などの植物は強風によるダメージを受けやすいため、強風が吹くときは室内に避難させる必要もあるし、室内で栽培しなければならない場合もある。
【課題を解決するための手段】
【０００６】  蔓植物栽培用のネットの一辺を回転できる細長い筒状のロールバーに固定して巻きつけることにより、ネットの引き出し巻き上げの作業をしやすくすると共に、巻きつけた状態で収納も兼ねるようにしたネットロールバーと、そのネットロールバーの両端を伸縮可能な２本の長尺な支柱の上部に保持することにより、ネットロールバーから引き出したネットを高さの調整をして張れるようにしたネットハンガー部を、長短各二本の柱で長方形に組み立てた枠の四隅下にキャスターを取り付けた台車部に接続する。その際ネットハンガー部の２本の柱は台車の短い方の柱の中央部に揺動可能な接続具で取り付けられ、また、支柱と台車の短いほうの柱の間に斜めの伸縮可能な補助支柱を揺動可能な接続具で取り付ける。これによって、ネットハンガー部全体が傾斜できるようにし、植物の栽培中でも移動しやすくし、日陰を効果的に作れるようにした。
台車の内枠には、鉢やプランターを置くための鉢置きネットと排水ホースを取り付けた水受け皿を植物の根腐れがおきないように鉢置きネットと水受け皿の間に空間を設けて組み合わせたものを組み込んで、室内での栽培もできるようにした。このように構成された自立して移動のできる蔓植物栽培台により解決するものである。
【考案の効果】
【０００７】  上述のように、本考案は、自立して移動できて水受け皿もついている蔓植物栽培台のため、栽培する場所に合わせてネットを張ったり、片付けたりが簡単にできるようになり、室内・外での栽培もでき、効果的な日陰も作ることができるし、日常生活での不便さも軽減できる。また、ネットを巻き上げて収納することで、蔓植物を栽培していないときは他の植物も栽培できるので、保管場所も必要としない。
【考案を実施するための最良の形態】
【０００８】  まず、ネットハンガー部の構成を図１に基づいて説明します。ロールバー５とガイドツバ４からなる筒状のネットロールバーの中に、ネットロールバーの内径よりわずかに細いシャフト３ａを通して、そのシャフト３ａの両端を図面４に示すストッパー付きロールバー保持キャップ３に差込みビス３ｂで固定して、ネットロールバーが回転できるように保持します。次にストッパー付きロールバー保持キャップ３を２本の伸縮可能な支柱１の上部にきつめに差込み、ネットを張るためのネットハンガー部を組み立てます。【０００９】  ネットロールバーのガイドツバ４の外周部には８個以上の穴を開けておきます。穴の径は、ストッパー３ｃのネジが入るくらいにします。
ストッパー付きロールバー保持キャップ３についているストッパー３ｃのネジをそのガイドツバの穴に差し込んで、ネットロールバーの回転を止めます。これによりネットの引き出し量やネットの張り具合を調整や、ネット収納時の固定が可能になります。また、ガイドツバ４によりネット巻き取りの際のズレを防止します。【００１０】  ネットの上部一辺のネット目に、細い平板５ａを通してビスで数ヶ所ロールバーに固定します。ビスはロールバーの中に通してあるシャフト３ａに当たらない短いものとします。
ネットの引き出し側はネット保持バー８をネット目に通して可動式バー固定具７で本支柱に固定します。ネット保持バー８の両端には、バーの外径より大き目のキャップ８ａをつけておき、可動バー固定具７から軸方向に外れないようにします。可動バー固定具７は図６の様なもので、ネジ付きノブ７ａを締め付けることにより、支柱の任意の位置に固定できるようにします。また、Ｌ型のフック部はネット保持バー８の外径より僅かに狭くしておき、ネット保持バー８を挟むように引っ掛けて固定します。このようにして、ネットロールバーから引き出したネットをネットハンガー部に張ります。【００１１】  ネットハンガー部に張られたネットの支柱１に沿った両辺は、ネット保護リング１６で数箇所支柱１に保持して、ネットのばたつきを抑えます。ネット保持リングは図５に示すように、細い針金状のものを支柱１の外径より少し大きめのリングにして開口部が少し重なり合うようにしておき、簡単にネットを支柱に引っ掛けたり外したりできるようにします。【００１２】  次に台車部の構成を説明します。台車２は図１の様に長短各２本の角柱で長方形に組み立てます。下側にはキャスター２ａを四隅に取り付けます。キャスター２ａは台車にねじ込むようにして台車の水平度を調節できるようにした、ストッパー付きのものを使用します。
台車の内枠には図２で示すような水受け皿９を組み込み、更に水受け皿９には図２の様に水受け皿９の上面の内枠に合わせた格子状の鉢置きネット１３を置きます。水受け皿９の形状は、図１のようにネットハンガー部の支柱１のどちらか一方の付近が最下部になるように傾斜をつけて、最下部には排水用のパイプをつけて排水ができるようにします。排水用のパイプの先には図２の９ａの様に先端に短いパイプをつけたホースを差し込んで支柱１に掛けておきます。排水はこの短いパイプにホースを継いで行えます。【００１３】  支柱１と補助支柱５の伸縮は、下側パイプ内径に上側パイプの外径を合わせて、上側パイプを下側パイプ内に差込み、下側パイプの上端に縦に切り込みを入れて、その部分に図７の様なネジ付きバンドを取り付け、そのネジを締めたり緩めたりすることで行えるようにします。ただし、伸縮およびネジ付きバンドの形態は特に限定するものではありません。【００１４】  図１の様に、ハンガー部と台車２は、ハンガー部の支柱１を揺動可能な接続具１０で台車２に取り付け、更に支柱１と台車２の間に補助支柱６を斜めに揺動可能な接続具１１で連結して組み立て、ハンガー部全体が傾斜できるようにします。支柱１台車２の接続は図３の様な接続具１０を台車に溶接し、図３に示すように支柱１の下端に開けた穴と接続具１０の穴に丸いピンを通して揺動可能にします。補助支柱６と支柱１、台車２を接続する接続具１１は、補助支柱の両端を平らに潰して蝶番を溶接して取り付け、その蝶番を支柱１、台車２に溶接して揺動可能にします。
但し、支柱と台車、および補助支柱と本支柱、台車とを接続する揺動可能な接続具の形態も特に限定するものではありません。
【図面の簡単な説明】
【００１５】
【図１】本案の移動式蔓植物栽培台の一実施例を示す全体図です。但し、図を見易くするために、鉢置きネット１３は外してあります。
【図２】台車２に組み込む水受け皿６と鉢置きネット１３を示したものです。鉢置きネット１３は２点傾線の矢印の様に水受け皿９に組み合わせます。
【図３】ハンガー部の支柱１と台車２を接続する揺動可能な接続具１０の全体図に示した一例を具体的に示した図です。
【図４】ストッパー付きロールバー保持キャップ３を示した図です。
【図５】ネット保持リング１ｂを示した図です。
【図６】可動式バー固定具７を示した図です。
【図７】伸縮可能な支柱１と補助支柱６の全体図に示した一例の伸縮させるために必要なネジ付きバンド１ａと６ａを具体的に示した図です。
【符号の説明】
【００１６】１    伸縮可能な支柱
１ａ  ネジ付きバンド（支柱１用）
１ｂ  ネット保持リング
２    台車
２ａ  キャスター
３    ストッパー付きロールバー保持キャップ
３ａ  シャフト（ネットロールバー内に通す）
３ｂ  ビス（シャフト３ａを固定）
３ｃ  ストッパー
４    ガイドツバ
５    ロールバー
５ａ  細い平板（ネットをロールバーに固定するもの）
６    伸縮可能な補助支柱
６ａ  ネジ付きバンド（補助支柱用）
７    可動式バー固定具
７ａ  ネジ付きノブ
８    ネット保持バー
８ａ  キャップ（ネット保持バーの両端につける）
９    水受け皿
９ａ  排水ホース（水受け皿の付属）
１０  揺動可能な接続具（支柱１と台車２を接続するもの）
１１  揺動可能な接続具、蝶番（補助支柱６と支柱１と台車２を接続するもの）
１２  蔓植物栽培用ネット
１３  鉢置きネット
【図１】
0003123899.tif 000003
【図２】
0003123899.tif 000004
【図３】
0003123899.tif 000005
【図４】
0003123899.tif 000006
【図５】
0003123899.tif 000007
【図６】
0003123899.tif 000008
【図７】
0003123899.tif 000009